(57)【要約】【課題】商品の展示作業等に際し、容易に開封して大きく開口させることができる包装箱を提供する。【解決手段】壁面に切目と繋部とが断続する切目線１０を入れ、切目線１０に臨む開封開始部１１を起点として壁面に力を作用させ、繋部の破断に伴い、切目線１０に沿って壁面を切断することにより開封する包装箱において、前記切目線１０の開封開始部１１が臨む部分から離れた位置に、方向が変化する変向部１０ｃを設け、変向部１０ｃの内側に臨む部分を、押込に伴い繋部が破断する開封補助部１２とする。開封する際、まず開封補助部１２を押し込んで、その部分が臨む変向部１０ｃの繋部を破断させると、開封開始部１１を起点として壁面に僅かに力を作用させるだけで、切目線１０の他の部分の繋部を破断させ、大きく開口した状態で、商品を露出させて展示することができる。【選択図】図３
2015151139.tif 000002
【特許請求の範囲】
【請求項１】
壁面に切目と繋部とが断続する切目線(10)を入れ、切目線(10)に臨む開封開始部(11)を起点として壁面に力を作用させ、繋部の破断に伴い、切目線(10)に沿って壁面を切断することにより開封する包装箱において、前記切目線(10)の開封開始部(11)が臨む部分から離れた位置に、方向が変化する変向部(10c)を設け、変向部(10c)の内側に臨む部分を、押込に伴い繋部が破断する開封補助部(12)としたことを特徴とする易開封包装箱。
【請求項２】
前記開封補助部(12)に、その押込を容易にする誘導罫線(12a)を入れたことを特徴とする請求項１に記載の易開封包装箱。
【請求項３】
前記切目線(10)における変向部(10c)の繋部の寸法を大きく設定し、他の部分の繋部の寸法を小さく設定したことを特徴とする請求項１又は２に記載の易開封包装箱。
【発明の詳細な説明】
【技術分野】
【０００１】
この発明は、商品の包装に使用される紙箱であって、容易に開封できる機能を備えたものに関する。
【背景技術】
【０００２】
従来、下記特許文献１には、図７に示すように、一対の側板５１から内蓋フラップ５３及び外蓋フラップ５４を、他対の端板５２から端フラップ５５をそれぞれ延出し、外蓋フラップ５４には、切目と繋部とが断続する切目線５７を中央部から一方の側板５１の両端方向へハ字状に入れると共に、その中央部に円弧状の切目線５８を入れ、切目線５８の内側領域を開封開始部５９とした包装箱が記載されている。
【０００３】
この包装箱により食品等の商品を包装する際には、端フラップ５５を内側へ折り曲げた後、内蓋フラップ５３及び外蓋フラップ５４を順次重ねるように折り曲げ、外蓋フラップ５４を切目線５８の先端側で内蓋フラップ５３に貼り合わせて封緘する。
【０００４】
このように封緘した包装箱を開封する際には、開封開始部５９を押し込んで、外蓋フラップ５４を窪むように撓ませると、これに伴い、切目線５７の繋部が破断し、切目線５７に沿って外蓋フラップ５４が切断されるので、内蓋フラップ５３及び外蓋フラップ５４を開くことができる。
【先行技術文献】
【特許文献】
【０００５】
【特許文献１】特許第４６１１７１８号公報
【発明の概要】
【発明が解決しようとする課題】
【０００６】
しかしながら、上記のような包装箱は、開封状態で複数の面に亘って大きく開口させることができず、トレイ状態として商品を展示する用途に使用することができない。
【０００７】
そこで、この発明は、商品の展示作業等に際し、容易に開封して大きく開口させることができる包装箱を提供することを課題とする。
【課題を解決するための手段】
【０００８】
上記課題を解決するため、この発明は、壁面に切目と繋部とが断続する切目線を入れ、切目線に臨む開封開始部を起点として壁面に力を作用させ、繋部の破断に伴い、切目線に沿って壁面を切断することにより開封する包装箱において、前記切目線の開封開始部が臨む部分から離れた位置に、方向が変化する変向部を設け、変向部の内側に臨む部分を、押込に伴い繋部が破断する開封補助部としたのである。
【０００９】
また、前記開封補助部に、その押込を容易にする誘導罫線を入れたのである。
【００１０】
さらに、前記切目線における変向部の繋部の寸法を大きく設定し、他の部分の繋部の寸法を小さく設定したのである。
【発明の効果】
【００１１】
この発明に係る包装箱では、開封する際、まず開封補助部を押し込んで、その部分が臨む切目線の変向部の繋部を破断させると、開封開始部を起点として壁面に僅かに力を作用させるだけで、切目線の他の部分の繋部を破断させ、大きく開口した状態で、商品を露出させて展示することができる。
【図面の簡単な説明】
【００１２】
【図１】この発明に係る易開封包装箱のブランクを示す図
【図２】同上の開封補助部付近の拡大図
【図３】同上の易開封包装箱の包装状態を示す斜視図
【図４】同上の開封補助部を押し込んだ状態を示す斜視図
【図５】同上の開封開始部から切取部分を引き上げた状態を示す斜視図
【図６】同上の切取部分を除去してトレイ状とした展示状態を示す斜視図
【図７】従来の易開封包装箱の包装状態を示す斜視図
【発明を実施するための形態】
【００１３】
以下、この発明の実施形態を図１〜図５に基づいて説明する。
【００１４】
この包装箱は、高さが奥行より大きい深型のものであり、デルタフルートと呼ばれる厚さ約２ｍｍの段ボールを材料として、図１に示すブランクから形成される。
【００１５】
このブランクでは、前面板１の一方の側端に側面板２、後面板３及び側面板２が順次横方向に連設され、前面板１の他方の側端に継代片４が連設されている。一対の側面板２の下端には底板５が、前面板１及び後面板３の下端には片側に斜め方向の折目線を有する底板６がそれぞれ連設されている。また、一対の側面板２の上端には蓋受片７が連設され、前面板１の上端には蓋板８及び差込片９が順次連設されている。
【００１６】
前面板１及びこれに繋がる一方の側面板２並びに継代片４と他方の側面板２には、切目と繋部とが断続する切目線１０が入れられている。
【００１７】
切目線１０は、前面板１、側面板２の前部となる部分及び継代片４の下部で横方向に延びる横切部１０ａと、側面板２の後部となる部分で縦方向に延びる縦切部１０ｂと、横切部１０ａと縦切部１０ｂとに接続され方向が変化するように湾曲した変向部１０ｃと、縦切部１０ｂの上端から側面板２と蓋受片７の境界に沿って後面板３へ延びる上切部１０ｄとから構成される。
【００１８】
横切部１０ａ、縦切部１０ｂ及び上切部１０ｄは、直線又は僅かに湾曲した切目が断続するミシン目状とされ、変向部１０ｃは、切断の始端となる中央部の切目を挟んで、ジッパ型と呼ばれる鉤状の切目が対称に断続するものとされている。
【００１９】
前面板１において、横切部１０ａは、下向きに凸となるように大きな曲率で湾曲し、横切部１０ａの中央部の上側に臨む部分は、開封開始部１１とされている。開封開始部１１は、横切部１０ａの切目から上方へ向けて切目１１ａを入れ、その両側に円弧状の誘導罫線１１ｂを入れて形成されている。
【００２０】
側面板２において、横切部１０ａは、後面板３側へかけて緩い傾斜で上昇し、縦切部１０ｂは、垂直となっている。
【００２１】
そして、変向部１０ｃの内側に臨む部分は、開封補助部１２とされ、開封補助部１２には、その押し込みを容易にするため、横切部１０ａと縦切部１０ｂの変向部１０ｃとの接続部分間に亘る誘導罫線１２ａが入れられている。誘導罫線１２ａは、段ボールの裏面側から押圧した押罫とされ、その両端部は斜線の中間部より屈曲して深い角度で横切部１０ａ及び縦切部１０ｂへ接近している。
【００２２】
ここで、図２に示すように、切目線１０における変向部１０ｃの繋部の寸法αは、他の部分の繋部の寸法βよりも大きく設定されている。具体的には、寸法αは４．３ｍｍ程度とされ、縦切部１０ｂの寸法βは２ｍｍ程度とされている。
【００２３】
一般には、変向部１０ｃの繋部は、その寸法αを３．５ｍｍ以上として、少なくとも２個以上設け、他の部分の繋部は、その寸法βを変向部１０ｃの繋部の寸法αよりも小さくして、変向部１０ｃの繋部よりも長いピッチで設けることとする。
【００２４】
このようなブランクから成る包装箱は、製造に際し、前面板１と一方の側面板２との境界及び後面板３と他方の側面板２との境界に沿って折り曲げ、継代片４を他方の側面板２に貼り付けると共に、底板６を斜め方向の折目線に沿って折り返した状態で、その折返部を底板５に貼り付けて折畳状態としておく。この折曲及び貼着工程は、既存のグルアを使用して行うことができるので、別途設備投資が必要となることはない。
【００２５】
そして、レトルト食品等の商品を包装する際には、図３に示すように、前面板１、一対の側面板２及び後面板３から角筒状の周壁を形成し、各一対の底板５，６から底壁を形成して、商品を収納した後、蓋受片７を内側方向へ折り曲げ、蓋板８を後方へ折り曲げて蓋受片７に重ね、差込片９を後面板３と蓋受片７の間に差し込んで封緘する。
【００２６】
一方、店頭で商品を展示する際には、まず、図４に示すように、開封補助部１２を押し込んで、切目線１０の変向部１０ｃの繋部を破断させ、次に、図５に示すように、開封開始部１１を押し込んで、前面板１の横切部１０ａより上方の部分を手前に引き上げ、横切部１０ａ及び縦切部１０ｂの繋部を破断させ、上切部１０ｄの繋部も破断させる。
【００２７】
これに伴い、前面板１の横切部１０ａ及び上方部分と、その両側に連なる側面板２の横切部１０ａ及び縦切部１０ｂより上方前部と、これらに連なる蓋受片７、蓋板８及び差込片９とを一体として取り去ると、図６に示すように、前面、両側面及び天面が大きく開口したトレイ状部分が残存し、トレイ状部分から商品Ｇが露出した展示状態となる。
【００２８】
このように、上記包装箱では、切目線１０の変向部１０ｃに開封補助部１２が臨んでいるので、開封する際、開封補助部１２を押し込むと、変向部１０ｃの繋部を容易に破断させることができ、その後、開封開始部１１を起点として前面板１に僅かな引上力を作用させるだけで、横切部１０ａ、縦切部１０ｂ及び上切部１０ｄの繋部を破断させ、大きく開口した状態で、商品Ｇを露出させて展示することができる。
【００２９】
また、変向部１０ｃの繋部は、ある程度大きくし、またピッチを短くしても簡単に破断するので、変向部１０ｃの繋部を大きく、ピッチを短く設定して、物流過程における耐衝撃性を確保しつつ、切目線１０の他の部分の繋部を小さく、ピッチを長く設定して、開封の容易性を向上させることができる。
【００３０】
そして、この実施形態のように、横切部１０ａ、縦切部１０ｂ及び上切部１０ｄの繋部を小さく、ピッチを長く設定しておくと、展示状態としたとき、残存するトレイ状部分において、切目線１０のこれらの部分の繋部が破断した跡が目立たないので、美粧性に優れた展示ができる。
【００３１】
なお、上記実施形態では、天面がタックエンド式のものを例示したが、天面の封緘構造は、周壁各面の上端から延びるフラップを貼り合わせて封緘するシールエンド式としてもよい。この場合、展示状態とする際、天面のフラップを切断できるように、切目線１０の上切部１０ｄを入れるとよい。
【００３２】
また、開封補助部１２を両側面に設けたものを例示したが、展示状態で開口させる面が１面又は２面である場合には、開封補助部１２は、１か所だけでもよく、開封開始部１１と同じ面に設けてもよい。また、同一の面に２つ以上の開封補助部１２を設けてもよい。さらに、開封補助部１２は、側面に限らず、天面に設けてもよい。
【００３３】
また、切目線１０の変向部１０ｃは、その両端部の接線である横切部１０ａと縦切部１０ｂの延長線がなす角の内側（劣角）の角度が鈍角となるものを例示したが、この角度が鋭角又は直角となるものであってもよい。また、変向部１０ｃは、内側の角度が鋭角や直角である場合には、折線状に屈曲しているよりも湾曲しているほうが好ましい。
【００３４】
そのほか、開封補助部１２の誘導罫線１２ａは、中間部が斜線で両端部が屈曲したものを例示したが、変向部１０ｃの両端間に亘って、変向部１０ｃとは逆方向へ全体的に湾曲したものとしてもよく、変向部１０ｃから離れた位置を起点として、放射状に変向部１０ｃへ向けて複数本設けてもよい。
【符号の説明】
【００３５】
１  前面板
２  側面板
３  後面板
４  継代片
５，６  底板
７  蓋受片
８  蓋板
９  差込片
１０  切目線
１０ａ  横切部
１０ｂ  縦切部
１０ｃ  変向部
１０ｄ  上切部
１１  開封開始部
１１ａ  切目
１１ｂ  誘導罫線
１２  開封補助部
１２ａ  誘導罫線
Ｇ  商品
【図１】
2015151139.tif 000003
【図２】
2015151139.tif 000004
【図３】
2015151139.tif 000005
【図４】
2015151139.tif 000006
【図５】
2015151139.tif 000007
【図６】
2015151139.tif 000008
【図７】
2015151139.tif 000009